(57)【特許請求の範囲】
【請求項１】
第１基板と第２基板との間を接続するための、基板接続用ＲＦコネクタであって、
前記第１基板に結合固定されるコネクタ部を含み、
前記コネクタ部は、
前記第２基板と接続するためのインターフェース部と、
前記第１基板の挿入孔に嵌合して結合され、中孔を有する下部ケースと、
前記下部ケースの上部外側に下部が支持されるスプリングと、
前記下部ケースの中心側に設けられた絶縁体と、
前記絶縁体の中心側に挿入固定され、上部に設けられた挿入溝に挿入される前記インターフェース部を、上下方向に遊動自在、および前記インターフェース部の下部を支点として前後左右に揺動自在な状態で支持するピンと、
前記下部ケースの上部外側に設けられて前記スプリングと絶縁体を収容する空間を提供し、前記インターフェース部の移動空間を提供する、上部ケースと、
前記スプリングの上部側に接して位置し、上部が前記インターフェース部の下部の一部に接して前記インターフェース部に作用される力を前記スプリングに伝達する、スプリングキャップと、を含むことを特徴とする、
基板接続用ＲＦコネクタ。
【請求項２】
前記下部ケースと前記上部ケースとは、
一体に設けられたことを特徴とする請求項１に記載の、基板接続用ＲＦコネクタ。
【請求項３】
前記第２基板に結合固定され、前記インターフェース部の上部を挿入固定する端子部を含み、
前記第２基板に設けられた通孔に締結され、前記インターフェース部の上部が挿入固定される空間を提供するボディ部と、
前記ボディ部の中央部に挿入され、中央部に貫通挿入された端子ピンを固定する絶縁部と、を含むことを特徴とする請求項１に記載の、基板接続用ＲＦコネクタ。
【請求項４】
前記インターフェース部は、
上下両端に、それぞれの上部結合部と下部結合部が設けられたインターフェースピンと、
前記インターフェースピンの外側縁に位置して前記端子部の絶縁部の一部が挿入固定させるインターフェースボディと、
前記インターフェースボディと前記インターフェースピンとの間に位置するインターフェース絶縁部と、を含むことを特徴とする請求項３に記載の、基板接続用ＲＦコネクタ。
【請求項５】
前記上部結合部と下部結合部のそれぞれは端が球状であって、切開溝が設けられたことを特徴とする請求項４に記載の、基板接続用ＲＦコネクタ。
【請求項６】
前記インターフェース部は、
上部に上部結合部が設けられ、下部に弾性部材が設けられたインターフェースピンと、
前記インターフェースピンの外側縁に位置して前記端子部の絶縁部の一部が挿入固定させるインターフェースボディと、
前記インターフェースボディと前記インターフェースピンとの間に位置するインターフェース絶縁部と、を含むことを特徴とする請求項３に記載の、基板接続用ＲＦコネクタ。
【発明の詳細な説明】
【技術分野】
【０００１】
本発明は、基板接続用ＲＦコネクタに関し、詳しくは、コネクタインターフェースを回動可能な構造とし、コネクタの位置を正確に把握してない状態であっても容易に締結可能なようにした、基板接続用ＲＦコネクタ（ＲＦ  ＣＯＮＮＥＣＴＯＲ  ＦＯＲ  ＳＵＢＳＴＲＡＴＥＳ）に関する。
【背景技術】
【０００２】
一般に、ＲＦ通信用コネクタは、同軸のケーブルを端子に容易に、かつ緻密に結合できるように多様な構造を有している。このようなＲＦ通信用コネクタは、大きく分けて、肉眼で確認可能な筐体に設けられた端子に締結される用度の場合と２つの基板にそれぞれコネクタと端子が設けられている場合、その基板によりコネクタと端子との位置が正確に肉眼で確認できず、結合するのに多くの時間がかかってしまう。
【０００３】
特に、一側基板に設けられた複数のコネクタと他側基板に設けられた複数の端子とを、前記２つの基板が上下に配置されたような状態でコネクタとそのコネクタに対応する端子とを相互結合することは大変難しく、作業時間が長く必要とされ、無理な力を加えた場合にコネクタのピンが損傷されて信号接続のできない不良状態となる。
【０００４】
このような不良が発生したときには、損傷したピンのあるコネクタを交換するので、作業時間が遅延されるなど、コストが多く所要される問題があった。
【０００５】
上記のような問題点を勘案して基板と基板とを相互ＲＦコネクタで接続する構造においては、コネクタのインターフェースを回動させて、相手側と締結時に、多少の位置に差があっても安定的に締結できる方法が提案された。
【０００６】
その例として、特許文献１に記載の印刷回路基板の表面実装用コネクタは上部一部に接続溝を有するコネクタピンを有するコネクタに、その接続溝の側面一部のコネクタピンに、ピン切開溝を設けてそのピン切開溝による公差の差を与えて挿入される相手コネクタのピンが容易に挿入結合できるようにした構成である。
【０００７】
しかしながら、特許文献１は、絶縁体の内側に挿入されたピンの接続溝の外側に切開溝を有しただけでは、肉眼確認が不可能な状態でコネクタ結合を十分容易とすることができない構造であった。
【０００８】
特許文献１の詳細な説明においては、回動であると表現しているものの、これは実質的に回動ではない絶縁体の弾性とピンの切開溝による公差の改善であったと見ることができる。
【０００９】
したがって、従来の基板と基板とを接続させるためのＲＦコネクタは回動を有するものでなく、肉眼確認が不可能な基板と基板とを結合するときに安定的なコネクタの接続を提供できないという問題点があった。
【００１０】
また、特許文献１は、左右においては前記切開溝及び絶縁体の弾性により裕隔が発生するが、上下においては裕隔が発生しない構造である。したがって、結合時に過度な結合力が作用した場合、挿入されたピンが曲がるなどの損傷が発生しうる。
【先行技術文献】
【特許文献】
【００１１】
【特許文献１】大韓民国特許公報第１０−０９４５１１３号（登録日２０１０年２月２３日）
【発明の概要】
【発明が解決しようとする課題】
【００１２】
上記のような問題点を解決するための本発明の課題は、基板と基板とを接続するＲＦコネクタにおいてインターフェースの移動性をさらに確保することで、肉眼で位置確認が不可能なコネクタの結合をより容易とする  基板接続用ＲＦコネクタを提供することにある。
【００１３】
また、本発明は、上下方向にも移動性を提供できる  基板接続用ＲＦコネクタを提供することにある。
【課題を解決するための手段】
【００１４】
上記のような課題を達成するための本発明の  基板接続用ＲＦコネクタは、第１基板に結合固定され、内側に設けられたスプリングによって支持され、上下方向に遊動自在、および前記インターフェース部の下部を支点として前後左右に揺動自在なインターフェース部を含むコネクタ部と、第２基板に結合固定され、前記インターフェース部の上部を挿入固定する端子部とを含む。
【発明の効果】
【００１５】
本発明は、ＲＦコネクタに上下に圧縮された状態で、元の状態に復元力を提供するスプリングを付加し、そのスプリングによって支持されて上下方向に遊動自在、および下部を支点として前後左右に揺動自在なインターフェースを設けることで、そのインターフェースにより相手端子との結合をより容易とする効果を有する。
【００１６】
また、本発明は、前記スプリングによって上下方向にも移動を可能とし、２つの基板を締結時に過度な力が作用されたとしてもスプリングの圧縮と復元を介して前記インターフェース部が損傷されることを防止する効果を有する。
【図面の簡単な説明】
【００１７】
【図１】本発明の好適な実施例に係る、基板接続用ＲＦコネクタの分離状態の一部切開図である。
【図２】図１に示すコネクタ部の断面構成図である。
【図３】図２のインターフェースが左側に揺動された状態の断面構成図である。
【図４】図２のインターフェースが右側に揺動された状態の断面構成図である。
【図５】本発明の好適な実施例に係る、基板接続用ＲＦコネクタの結合状態の断面構成図である。
【図６】過度な締結力が作用した場合の本発明の断面図である。
【図７】本発明の他の実施例によるコネクタ部の断面構成図である。
【図８】本発明のさらに他の実施例によるコネクタ部の断面構成図である。
【発明を実施するための形態】
【００１８】
以下、本発明の好適な実施例に係る、基板接続用ＲＦコネクタの構成と作用をより詳しく説明するが、本発明において、基板接続用ＲＦコネクタとは、ＰＣＢとＰＣＢとの間の締結のためのもので、ＰＣＢと他の金属パネル、または金属パネルとの間の締結のためのものであり、ＰＣＢと筐体との締結を含む。
【００１９】
図１は、本発明の好適な実施例に係る、基板接続用ＲＦコネクタの分離状態の一部断面図であって、図２は、図１のコネクタ部の断面構成図である。
【００２０】
図１及び図２をそれぞれ参照すると、本発明の好適な実施例に係る、基板接続用ＲＦコネクタは、第１基板１に固定され、前記第２基板と接続するためのインターフェース部１１０を提供するコネクタ部１００と、第２基板２に固定されて前記インターフェース部１１０が挿入固定される固定孔２１０を提供する端子部２００とを含んで構成される。
【００２１】
前記コネクタ部１００は、前記第１基板１の挿入孔に嵌合して結合され、中孔を有する下部ケース１２０と、前記下部ケース１２０の上部外側に下部が支持されるスプリング１４０と、前記下部ケース１２０の中心側に設けられた絶縁体１５０と、前記絶縁体１５０の中心側に挿入固定され、上部に設けられた挿入溝１７１に挿入される前記インターフェース部１１０を、上下方向に遊動自在、および前記インターフェース部の下部を支点として前後左右に揺動自在な状態に支持するピン１７０と、前記下部ケース１２０の上部外側に設けられて前記スプリング１４０と絶縁体１５０を収容する空間を提供し、前記インターフェース部１１０の移動空間を提供する上部ケース１３０と、前記スプリング１４０の上部側に接して位置し、上部が前記インターフェース部１１０の一部に接して前記インターフェース部１１０に作用される力をスプリング１４０に伝達するスプリングキャップ１６０とを含んで構成される。
【００２２】
前記端子部２００は、前記第２基板２に設けられた通孔に回転締結され、前記インターフェース部１１０の上部が挿入固定される空間を提供するボディ部２２０と、前記ボディ部２２０の中央部に挿入され、中央部に貫通挿入された端子ピン２１０を固定する絶縁部２３０とを含んで構成される。
【００２３】
前記インターフェース部１１０は、上下両端にそれぞれ上部結合部１１１と下部結合部１１２が設けられたインターフェースピン１１３と、前記インターフェースピン１１３の外側縁に位置して前記端子部２００の絶縁部２３０の一部が挿入固定させるインターフェースボディ１１４と、前記インターフェースボディ１１４と前記インターフェースピン１１３との間に位置するインターフェース絶縁部１１５とを含む。
【００２４】
以下、上記のように構成される本発明の好適な実施例に係る、基板接続用ＲＦコネクタの構成と作用についてより詳細に説明する。
【００２５】
まず、コネクタ部１００は第１基板１の通孔に設けられ、前記コネクタ部１００と結合される端子部２００は、第２基板２にタップ型の通孔に回転結合された状態である。
【００２６】
前記コネクタ部１００と端子部２００は、その名称とは無関係に、第１基板１と第２基板２を相互結合する役割をする。前記第１基板１または第２基板２は通信用筐体とすることができる。すなわち、筐体と基板との結合または基板と基板との結合に本発明が適用される。
【００２７】
すなわち、基板のＲＦ信号を筐体と絶縁された状態で筐体外部に伝送する役割をしたり、外部のＲＦ信号を筐体内の基板に伝達したりすることができる。
【００２８】
前記コネクタ部１００は、第１基板１のホールに固定される下部ケース１２０と、前記下部ケース１２０の上部側に位置して内側に収容空間を提供する上部ケース１３０を含む。
【００２９】
前記下部ケース１２０の内側には絶縁体１５０により絶縁されるピン１７０が設けられている。前記ピン１７０の上部側には前記インターフェース部１１０の下部結合部１１２の一部が挿入固定され、前記インターフェース部１１０の下部を支点として前後左右に揺動自在な状態で固定される。
【００３０】
前記インターフェース部１１０の下部結合部１１２と前記ピン１７０との連結関係は、次に詳しく説明する。
【００３１】
前記下部ケース１２０の上部側にはスプリング１４０が設けられている。このスプリング１４０は圧縮された状態で元状態に復元力を有するものであって、そのスプリング１４０の上部にはリング状のスプリングキャップ１６０が設けられている。
【００３２】
前記スプリングキャップ１６０は、前記インターフェース部１１０が傾く場合、その傾く方向に沿って下向きの力が作用することになり、その下向きの力によってスプリング１４０が圧縮されながらインターフェース部１１０の遊動または揺動を可能とする。
【００３３】
前記上部ケース１３０と下部ケース１２０は前記スプリング１４０の位置をガイドする役割をし、前記上部ケース１３０は上部側が所定の曲率を有するように折曲されていて、前記インターフェース部１１０の離脱を防止すると共に、円滑な遊動が可能なように支持する。
【００３４】
前述したピン１７０の挿入溝１７１は、前記インターフェース部１１０の下部結合部１１２が上部側から圧入される溝である。前記下部結合部１１２の形状は端が球状であって、その挿入溝１７１の側面に設けられた溝にその下部結合部１１２の端が挿入された状態で、その下部結合部１１２の揺動が可能となる。
【００３５】
前記下部結合部１１２の球状端はインターフェース部１１０全体の揺動における支点となる。
【００３６】
前記下部結合部１１２は上下に切開された切開溝ｇ２が設けられていて、これは下部結合部１１２が前記挿入溝１７１に円滑に結合され、その結合状態が離脱しないようにする手段となる。
【００３７】
上部結合部１１１にも切開溝ｇ１が設けられている。
【００３８】
前記下部結合部１１２と上部結合部１１１が下部と上部から突出される形状のインターフェースピン１１３の外側はインターフェース絶縁部１１５によって絶縁され、そのインターフェース絶縁部１１５の外側には円筒状のインターフェースボディ１１４が位置することになる。
【００３９】
前記インターフェースボディ１１４の下部側は前記上部ケース１３０に一部収容され、その収容された下部側の外側は半球型に突出された断面を有するガイド部１１６が設けられている。
【００４０】
このような構造によって前記下部ケース１２０と上部ケース１３０が固定された状態で前記下部結合部１１２の端を中心に前記インターフェース部１１０全体が遊動または揺動することができる。
【００４１】
このとき、遊動程度は、前記上部ケース１３０の上部側内径と前記インターフェースボディ１１４の外径との直径差によって決定される。
【００４２】
前記インターフェース部１１０の揺動角度は前記支点を中心に１０°内外に傾くようにすることが好ましい。前記インターフェース部１１０の揺動角度が大き過ぎると、むしろ円滑な結合が困難となるからである。
【００４３】
図３及び図４は、それぞれ図２に示す断面図の例から、前記インターフェース部１１０が中央を基準としてそれぞれ左側と右側に傾いた状態を示す断面図である。
【００４４】
このとき、前記インターフェース部１１０が左側に傾く場合、前記インターフェースボディ１１４の下端部であるガイド部１１６が左側の前記スプリングキャップ１６０に下向きの圧力を与えることになる。
【００４５】
このとき、下向きの圧力を受けたスプリングキャップ１６０は、スプリング１４０によって支持された状態で、下向きに移動することになり、よって、そのインターフェース部１１０は、前記第１基板１のコネクタ部１００と第２基板２の端子部２００との位置が相違する場合であっても容易に結合することができる。
【００４６】
図５は、本発明の好適な実施例に係る、基板接続用ＲＦコネクタの結合状態断面構成図である。
【００４７】
図５を参照すると、前記コネクタ部１００と端子部２００は、その位置を肉眼で確認しない状態において、多少上下位置に差がある場合であっても、前記インターフェース部１１０の揺動または遊動によって容易に結合されることができる。
【００４８】
前記インターフェース部１１０のインターフェースボディ１１４は、前記端子部２００のボディ部２２０の内側に挿入され、前記ボディ部２２０と絶縁部２３０との間に嵌合して固定される。このとき、インターフェースピン１１３の上部に設けられた上部結合部１１１は絶縁部２３０の内側に固定された端子ピン２１０の下部から提供される挿入溝２１１に挿入されて固定される。
【００４９】
このような結合過程において過度な結合力が作用する場合であっても前記インターフェース部１１０に作用する力がスプリングキャップ１６０とスプリング１４０に作用されて、このスプリング１４０が圧縮されながら過度な結合力を緩衝して解消させる。
【００５０】
よって、過度な結合力が作用する場合であっても前記インターフェース部１１０が損傷されることを防止することができる。
【００５１】
図６は、前記過度な結合力が作用した状態の断面図である。
【００５２】
前述のように、結合力が過度な場合の前記スプリング１４０が圧縮された状態であって、前記スプリング１４０の圧縮により前記インターフェース部１１０全体が下向きに移動することができ、この場合の移動距離は最大１．５ｍｍ程度とすることができる。
【００５３】
図７は、本発明の他の実施例に係る、基板接続用ＲＦコネクタのコネクタ部の一部断面構成図である。
【００５４】
図７を参照すると、本発明の他の実施例に係るコネクタ部１００は、前記図２を参照して説明した実施例において、下部ケース１２０と上部ケース１３０が一体に設けられた形状のケース部１８０が設けられていて、前記ケース部１８０の下部中心側には中央に通孔が設けられてピン１７０が挿入される絶縁体１５０が嵌合して固定される。
【００５５】
また、前記図２を参照して説明した実施例において、断面上半球型の突出部であるガイド部１１６が図７の実施例では省略され、インターフェース部１１０の下端部が前記ケース部１８０の上部側から離脱しないように結合されるように、ケース部１８０の外側に突出された部分と比較して外径がさらに大きくなるように傾斜面１１８を有する構造に形状が変更されることができる。
【００５６】
前記傾斜面１１８は、ケース部１８０の上部に接触され、インターフェース部１１０が前述したように揺動が可能となる。
【００５７】
図８は、本発明のさらに他の実施例に係るコネクタ部１００の一部断面構成図である。
【００５８】
図８を参照すると、本発明のさらに他の実施例に係るコネクタ部１００は、前記図７を参照して説明した実施例から、下部結合部１１２の形状を弾性部材１１９に変更した構造であって、前記弾性部材１１９の下端は前記ピン１７０の上端に設けられた挿入溝１７１に挿入されて固定され、前記弾性部材１１９の上端は前記インターフェースピン１１３の下部に設けられた挿入溝（符号省略）に挿入されて固定される。
【００５９】
このようにインターフェース部１００の中心導体を弾性部材１１９で構成してインターフェース部１００の揺動を容易に行うことができる。
前記弾性部材１１９は、前記図８のように、一体型のケース部１８０の構造に適用するだけでなく、前記図２などを参照して詳しく説明した他の実施例にも適用することができる。
【００６０】
前記第１基板１の挿入孔に嵌合して結合され、中孔を有する下部ケース１２０と、前記下部ケース１２０の上部外側に下部が支持されるスプリング１４０と、前記下部ケース１２０の中心側に設けられた絶縁体１５０と、前記絶縁体１５０の中心側に挿入固定され、上部に設けられた挿入溝１７１に挿入される前記インターフェース部１１０を上下方向に遊動自在、および前記インターフェース部１１０の下部を支点として前後左右に揺動自在な状態で支持するピン１７０と、前記下部ケース１２０の上部外側に設けられて前記スプリング１４０と絶縁体１５０を収容する空間を提供し、前記インターフェース部１１０の移動空間を提供する上部ケース１３０と、前記スプリング１４０の上部側に接して位置し、上部が前記インターフェース部１１０の一部に接して前記インターフェース部１１０に作用される力をスプリング１４０に伝達するスプリングキャップ１６０を含んで構成される。
【００６１】
前記端子部２００は、前記第２基板２に設けられた通孔に回転締結され、前記インターフェース部１１０の上部が挿入固定される空間を提供するボディ部２２０と、前記ボディ部２２０の中央部に挿入され、中央部に貫通挿入された端子ピン２１０を固定する絶縁部２３０を含んで構成される。
【００６２】
前記インターフェース部１１０は、上下両端にそれぞれの上部結合部１１１と下部結合部１１２が設けられたインターフェースピン１１３と、前記インターフェースピン１１３の外側縁に位置して前記端子部２００の絶縁部２３０の一部が挿入固定されるインターフェースボディ１１４と、前記インターフェースボディ１１４と前記インターフェースピン１１３との間に位置するインターフェース絶縁部１１５を含む。
【００６３】
上述のように、本発明の好適な実施形態を参照して詳しく説明したが、本発明は上述の実施形態に限定されるものでなく、特許請求の範囲と発明の詳細な説明及び添付図面を逸脱しない範囲で本発明を多様に修正及び変更させることができ、これも本発明の技術的範囲に属する。
【符号の説明】
【００６４】
１００  コネクタ部
１１０  インターフェース部
１１１  上部結合部
１１２  下部結合部
１１３  インターフェースピン
１１４  インターフェースボディ
１１５  インターフェース絶縁部
１１６  ガイド部
１２０  下部ケース
１３０  上部ケース
１４０  スプリング
１５０  絶縁体
１６０  スプリングキャップ
１７０  ピン
１７１  挿入溝
２００  端子部
２１０  端子ピン
２１１  挿入溝
２２０  ボディ部
２３０  絶縁部
【図１】
0005816384.tif 000002
【図２】
0005816384.tif 000003
【図３】
0005816384.tif 000004
【図４】
0005816384.tif 000005
【図５】
0005816384.tif 000006
【図６】
0005816384.tif 000007
【図７】
0005816384.tif 000008
【図８】
0005816384.tif 000009